(57)【要約】      （修正有）【課題】かさ張ることなくコンパクトに使用でき、加工に際して作業者に負担が少ない建材加工台を提供する。【解決手段】建材加工台は、加工される建材Ｂが載せられる土台部１０と、建材の最下端部より下に配置され外形が矩形で折り曲げ可能であり建材の加工で発生する塵を集めておく集塵部２０と、土台部と集塵部とを連結する棒状の連結部３０と、を備え、連結部の一端は土台部に固定され、連結部の他端は集塵部の一辺に固定され、連結部は土台部と集塵部との連結方向に伸縮可能である。【選択図】図１
0003229131.tif 000002
【実用新案登録請求の範囲】
【請求項１】
加工される建材Ｂが載せられる土台部１０と、
前記建材Ｂの最下端部より下に配置され外形が矩形で折り曲げ可能であり前記建材Ｂの加工で発生する塵を集めておく集塵部２０と、
前記土台部１０と前記集塵部２０とを連結する棒状の連結部３０と、
を備え、
前記連結部３０の一端３３は前記土台部１０に固定されており、
前記連結部３０の他端３４は前記集塵部２０の一辺に固定されており、
前記連結部３０は前記土台部１０と前記集塵部２０との連結方向に伸縮可能である、
建材加工台。
【請求項２】
前記連結部３０の長さを最大にしたときの前記集塵部２０の前記連結方向における長さは前記建材Ｂの前記連結方向における長さより小さい、
請求項１に記載の建材加工台。
【請求項３】
前記連結部３０の長さを最小にしたときの前記集塵部２０の最下端部は前記土台部１０の最下端部より上にある、
請求項１または請求項２に記載の建材加工台。
【請求項４】
前記連結部３０は複数あり、それぞれが独立に伸縮可能である、
請求項１から請求項３に記載の建材加工台。
【考案の詳細な説明】
【技術分野】
【０００１】
本開示は、建材加工台に関する。
【背景技術】
【０００２】
建築現場には、防音材・断熱材などさまざまな建材が持ち込まれ、それらは個々の建築現場の寸法に合わせてノコギリやカッターナイフなどで切断され、さらにその後ヤスリ掛け等の加工が施されることもある。これらの加工の際に発生する切り屑や粉塵が空気中を舞ったり床に落ちたりすることを防ぐために、切り屑や粉塵を容易に集塵する建材加工台が提案されている（例えば、特許文献１参照）。この建材加工台は、加工される建材の全周を柔軟性のあるシート状の集塵部で覆い、集塵部の四隅を建材の上部に配置している。
【先行技術文献】
【特許文献】
【０００３】
【特許文献１】実用新案登録第３１５８５９５号公報
【考案の概要】
【考案が解決しようとする課題】
【０００４】
ところで、こうした建材加工台は、集塵部で建材の全周を覆う必要があるため、かさ張るばかりか、集塵部の四隅が建材の上部に配置されているため、作業者は前傾姿勢で建材を加工する必要があり、作業者の負担が大きくなる場合がある。
【０００５】
本開示の目的は、かさ張ることなくコンパクトに使用でき、加工に際して作業者に負担が少ない建材加工台を提供することにある。
【課題を解決するための手段】
【０００６】
本開示の建材加工台は、加工される建材が載せられる土台部と、前記建材の最下端部より下に配置され外形が矩形で折り曲げ可能であり前記建材の加工で発生する塵を集めておく集塵部と、前記土台部と前記集塵部とを連結する棒状の連結部と、を備え、前記連結部の一端は前記土台部に固定されており、前記連結部の他端は前記集塵部の一辺に固定されており、前記連結部は前記土台部と前記集塵部との連結方向に伸縮可能である。
【考案の効果】
【０００７】
本開示によれば、かさ張ることなくコンパクトに使用でき、加工の際の作業者の負担を軽減することができる。
【図面の簡単な説明】
【０００８】
【図１】図１は、建材加工台の一実施形態のある使用状態を示す斜視図である。
【図２】図２は、同実施形態のある使用状態と別の使用状態とさらに別の使用状態とを示す平面図である。
【図３】図３は、同実施形態の図２に示した使用状態を示す左側面図である。
【図４】図４は、同実施形態の図２および図３とはまた別の使用状態を示す平面図である。
【図５】図５は、同実施形態の図４に示した使用状態を示す正面図である。
【考案を実施するための形態】
【０００９】
＜本開示の実施形態の説明＞
本開示の建材加工台は、
［１］加工される建材が載せられる土台部と、前記建材の最下端部より下に配置され外形が矩形で折り曲げ可能であり前記建材の加工で発生する塵を集めておく集塵部と、前記土台部と前記集塵部とを連結する棒状の連結部と、を備え、前記連結部の一端は前記土台部に固定されており、前記連結部の他端は前記集塵部の一辺に固定されており、前記連結部は前記土台部と前記集塵部との連結方向に伸縮可能である。
【００１０】
同構成によれば、かさ張ることなくコンパクトに建材加工台を使用でき、加工の際の作業者の負担を軽減することができる。
【００１１】
［２］前記連結部の長さを最大にしたときの前記集塵部の前記連結方向における長さは前記建材の前記連結方向における長さより小さいことが好ましい。
【００１２】
同構成によれば、建材を加工する際の作業者の前かがみの姿勢を必要最小限に抑えることができる。
【００１３】
［３］前記連結部の長さを最小にしたときの前記集塵部の最下端部は前記土台部の最下端部より上にあることが好ましい。
【００１４】
同構成によれば、集塵部が建築現場の床面に接しないようにすることができ、加工の完了後に集塵部の裏面を掃除する手間を省くことができる。
【００１５】
［４］前記連結部は複数あり、それぞれが独立に伸縮可能であることが好ましい。
【００１６】
同構成によれば、加工をする作業スペースの広さが様々である建築現場において、連結部の一方を長く、他方を短くするなどにより、集塵部の広げ方を臨機応変にアレンジすることができる。
【００１７】
［本開示の実施形態の詳細］
本開示の建材加工台の具体例を、以下に図面を参照しつつ説明する。各図面では、説明の便宜上、構成の一部を誇張または簡略化して示す場合がある。また、各部分の寸法比率については各図面で異なる場合がある。なお本開示はこれらの例示に限定されるものではなく、実用新案登録請求の範囲によって示され、実用新案登録請求の範囲と均等の意味および範囲内でのすべての変更が含まれることが意図される。本明細書における「平行」や「直交」は厳密に平行や直交の場合のみではなく、本実施形態における作用効果を奏する範囲内で概ね平行や直交の場合も含まれる。
【００１８】
（建材加工台１００の全体構成）
図１〜図５に示すように、建材加工台１００は、加工される建材Ｂが載せられる土台部１０と、建材Ｂの加工で発生する塵を集めておく集塵部２０と、土台部１０と集塵部２０とを連結する棒状の連結部３０と、を備えている。
以下の説明において、上方とは図３中および図５中の上方、前方とは図２中および図４中の下方、後方とは図２中および図４中の上方、左右方向とは図２中および図４中の左右方向を言うものとする。
【００１９】
（土台部１０の構成）
土台部１０は、本実施形態では、図１、図３および図５に示すように、板状の部材で構成されている。土台部１０を構成する板状の部材の材質は、ベニヤ板や合板などの木材や、樹脂である。本実施形態では、土台部は２つである。
【００２０】
土台部１０の中央には、図１、図３および図５に示すように、土台部固定穴１１が形成されており、土台部１０が軽量化されている。
【００２１】
（連結部３０の構成）
連結部３０は、本実施形態では、図１〜図４に示すように、棒状の部材で構成されている。連結部３０はパイプ状またはコの字状の大径部３１と小径部３２とを組み合わせて構成され、大径部３１の内部に小径部３２を押し込んだり大径部３１から小径部３２を引き出したりして連結部３０の全体を伸縮することで長さを変えられるようになっている。本実施形態では、連結部は２つであり、それぞれを独立して伸縮させられる。
【００２２】
連結部３０の一端３３は、図３に示すように、土台部１０の土台部固定穴１１の上部に固定されている。
【００２３】
（集塵部２０の構成）
集塵部２０は、本実施形態では、図３および図５に示すように、その全体が建材Ｂの最下端部より下に配置されている。集塵部２０は、本実施形態では、図１〜図５に示すように、矩形で折り曲げ可能な集塵シート部２１と、集塵シート部２１の対向する２辺の端末を袋状にした部分に通された棒状の集塵辺２２で構成されている。通常の使用時では集塵シート部２１は図２（ａ）および図３（ａ）のように適度にたわんだ状態となっている。
【００２４】
集塵部２０における連結部の連結方向の長さは、本実施形態では、図２（ｂ）および図３（ｂ）に示すように、連結部３０を最大に伸ばしたとき、すなわち集塵部２０を最大に伸ばしたときに、建材Ｂの連結方向の長さより小さい。
【００２５】
集塵部２０における最下端部は、本実施形態では、図２（ｃ）および図３（ｃ）に示すように、連結部３０を最小に縮めたとき、すなわち集塵部２０を最も縮めたときに、土台部１０の最下端部より上にあるので、集塵シート部２１の裏面は建築現場の床面に接しない。
【００２６】
集塵部２０には、本実施形態では、図１に示すように、集塵部２０の後方側の集塵辺２２に沿った位置に集塵部固定穴２３と、集塵部２０の前方側の集塵辺２２に沿った位置である集塵部２０の一辺に集塵部移動穴２４が形成されている。
【００２７】
集塵部固定穴２３には連結部３０が通されている。集塵部移動穴２４には連結部３０が通され、かつ連結部の他端３４が固定されている。集塵部固定穴２３および集塵部移動穴２４は、本実施形態では、連結部３０に合わせて、それぞれ２つずつ形成されている。
【００２８】
本実施形態の作用効果について説明する。
（１）連結部の一端３３は土台部固定穴１１の上部に固定されており、連結部の他端３４は集塵部２０の一辺に形成された集塵部移動穴２４に固定されており、大径部３１と小径部３２とが組み合わされた連結部３０は土台部１０と集塵部２０との連結方向に伸縮可能である。
【００２９】
この構成によれば、大径部３１に対して小径部３２を相対移動させることで連結部３０を伸縮することができるので、かさ張ることなくコンパクトに建材加工台を使用でき、加工の際の作業者の負担を軽減することができる。
【００３０】
小径部３２を大径部３１に対して相対移動させて連結部３０の長さを最大にして集塵シート部２１を最大に伸ばしたときの集塵部２０の連結方向における長さは建材Ｂの連結方向における長さより小さい。
【００３１】
建材Ｂの全周を同時に加工することがない場合は、建材Ｂを建材加工台１００の上で適宜移動させて加工が必要な部分を集塵部２０の上方へもってくるようにすれば、集塵部２０の連結方向における長さは最大でも建材Ｂの連結方向の長さを確保すれば十分である。この構成によれば、建材Ｂを加工する際の作業者の前かがみの姿勢を必要最小限に抑えることができる。
【００３２】
小径部３２を大径部３１に対して相対移動させて連結部３０の長さを最小にして集塵シート部２１を最も縮めたときの集塵部２０の集塵シート部２１の最下端部は土台部１０の最下端部より上にある。
【００３３】
この構成によれば、集塵シート部２１の裏面が建築現場の床面に接しないようにすることができ、加工の完了後に集塵シート部２１の裏面を掃除する手間を省くことができる。
【００３４】
連結部３０は２つあり、それぞれが独立に小径部３２を大径部３１に対して相対移動させて連結部３０を伸縮可能である。
【００３５】
この構成によれば、加工をする作業スペースの広さが様々である建築現場において、連結部３０の一方を長く、他方を短くするなどにより、スペースに余裕のある場所での作業者の移動を容易にする等、集塵シート部２１の広げ方を臨機応変にアレンジすることができる。
【００３６】
なお上述したのはあくまでも一実施形態であり、当業者の知識に基づいて種々の変更、改良を加えた態様で実施することができる。
【符号の説明】
【００３７】
１０ 土台部
１１ 土台部固定穴
２０ 集塵部
２１ 集塵シート部
２２ 集塵辺
２３ 集塵部固定穴
２４ 集塵部移動穴
３０ 連結部
３１ 大径部
３２ 小径部
３３ 連結部の一端
３４ 連結部の他端
１００ 建材加工台
Ｂ 建材
【図１】
0003229131.tif 000003
【図２】
0003229131.tif 000004
【図３】
0003229131.tif 000005
【図４】
0003229131.tif 000006
【図５】
0003229131.tif 000007
【手続補正書】
【提出日】令和2年8月24日(2020.8.24)
【手続補正１】
【補正対象書類名】実用新案登録請求の範囲
【補正対象項目名】請求項１
【補正方法】変更
【補正の内容】
【請求項１】
加工される建材Ｂが載せられる土台部１０と、
前記建材Ｂの最下端部より下に配置され外形が矩形で折り曲げ可能であり前記建材Ｂの加工で発生する塵を集めておく集塵部２０と、
パイプ状またはコの字状の大径部３１と小径部３２とを組み合わせて構成され前記土台部１０と前記集塵部２０とを連結する棒状の連結部３０と、
を備え、
前記連結部３０の一端３３は前記土台部１０に固定されており、
前記連結部３０の他端３４は前記集塵部２０の一辺に固定されており、
前記連結部３０は前記大径部３１の内部に前記小径部３２を押し込んだり前記大径部３１から前記小径部３２を引き出したりすることで前記土台部１０と前記集塵部２０との連結方向に伸縮可能である、
建材加工台。